(57)【要約】【課題】眼鏡において、構造が簡単でデザインを重視するつるを構成することが出来るつる着脱交換可能に取付けるための着脱装置を提供すること。【解決手段】レンズ部を構成するエンドピースにヒンジを介して折畳み可能に取付けられた凸板状突片の係止部を備え、つる内側に設けられる凸板状突片嵌入装着具とからなる眼鏡のつる着脱装置であって、該凸板状突片嵌入装着具は、該凸板状突片を嵌入するC溝嵌合部を形成し、該C溝一端を開口とし、他端レンズ部側を閉止し、該凸板状突片は該凸板状嵌入装着具C溝嵌合部に嵌入する嵌入部を形成し、抜け止め防止手段を設けた眼鏡のつる着脱装置。【選択図】図１
2009104115.tif 000002
【特許請求の範囲】
【請求項１】
レンズ部１００を構成するエンドピース４００にヒンジを介して折畳み可能に取付けられた凸板状突片５００の係止部を備え、つる２００内側に設けられる凸板状突片嵌入装着具３００とからなる眼鏡のつる着脱装置であって、該凸板状突片嵌入装着具３００は、該凸板状突片５００を嵌入するC溝嵌合部３０６を形成し、該C溝一端を開口とし、他端レンズ１００部側を閉止し、該凸板状突片５００は該凸板状嵌入装着具３００のC溝嵌合部３０６に嵌入する嵌入部５０５，５０６を形成し、抜け止め防止手段を設けたことを特徴とする眼鏡のつる着脱装置。
【請求項２】
C溝嵌合部３０６と並列して線ばね３１０を収納し、該線ばね３１０の係止鈎片３０５を該C溝開口近傍に備えるとともに、線ばね３１０には前記つる２００内側（顔側）に突出する押しボタン３０４を備え、該係止鈎片３０５に係合する係合鈎部５０４を凸板状突片５００に形成した、抜け止め防止手段を設けたことを特徴とする請求項１記載の眼鏡のつる着脱装置。
【請求項３】
凸板状嵌入装着具３００の上下面に凹溝３２０を形成し、該凹溝３２０を嵌合挟持し、かつヒンジ５０１へ当接する抜け止め７００を設けた、抜け止め防止手段を設けたことを特徴とする請求項１記載の眼鏡のつる着脱装置。
【請求項４】
つる２００は、エンドピース４００及び／又はヒンジを外側から見えないように形成したことを特徴とする請求項１〜３のいずれかに記載の眼鏡のつる着脱装置。
【請求項５】
エンドピース４００は、レンズ部１００側面に化粧部４０２を形成したことを特徴とする請求項１〜４のいずれかに記載の眼鏡のつる着脱装置。
【請求項６】
凸板状突片嵌入装着具３００は、つる２００内側へ当接する当接面を凸板状突片嵌入装着具３００の長手方向両端に形成したことを特徴とする請求項１〜５のいずれかに記載の眼鏡のつる着脱装置。
【発明の詳細な説明】
【技術分野】
【０００１】
本発明は、眼鏡のつる着脱装置に関する。
さらに詳しくは、本発明は、眼鏡のつるを着脱交換可能に取付けるための着脱装置に関する。
【背景技術】
【０００２】
従来より、眼鏡は、レンズフレームやレンズのエンドピースを介し、つるを折畳式に設け、該つる先端に設けた耳掛片を耳介に引掛けて装着するように形成している。
【０００３】
例えば、普段使用のものとスポーツ使用のもの二つを携行することは、特許文献１にも不便さが言及されている。また、異なるファッション、外観、及び／又は型のテンプル部品と取替え、より耐久性のあるスポーツタイプ又は安全タイプのつる（テンプル）を適宜交換し、成長期の子供用又は異なる使用者用の異なるサイズ及び／又は形状のテンプル部品を取付けることを可能にすることが好ましい、と特許文献２には記載されているが、眼鏡のつる着脱交換可能を目的として、種々のつる着脱装置が提案されている。
【０００４】
一例としてレンズを保持する眼鏡枠本体の外側部に止着されるエンドピースにヒンジを介して折畳み可能に取付けられるつる装着具と、つるの基端に設けられる嵌入突片とからなり、つる装着具は筒体内孔に係止鈎片を先端に備えた板ばねを収納するとともに、この板ばねには筒体外方に突出する押しボタンを備え、嵌入突片はつる装着具筒体内孔に嵌入する嵌合部と、この嵌合部先端に形成され係止鈎片に係合する係合鈎部を形成した眼鏡におけるつるの着脱装置（特許文献１）等が提案されている。
【０００５】
また、前端を有するテンプルをレンズフレームに取り外し可能に取り付ける装置であって、レンズフレームに旋回可能に取り付けられる挿入構造と、テンプルの前端に設けられて挿入構造を収容するキャビティ内で解除可能に保持する保持手段とを備え、挿入構造がキャビティ内に保持されると、テンプルの前端は、レンズフレームに直接隣接して位置付けられ、挿入構造が外側から見てほぼ隠れるようにする装置（特許文献２）等が知られるが、特に特許文献２は、一個構成のテンプルをレンズフレームに取り外し可能に取付ける装置が提案されている。
【０００６】
他に、眼鏡のつる着脱交換可能を目的として、特許文献３、特許文献４、特許文献５、
特許文献６、特許文献７及び特許文献８等に多数提案されている。
【０００７】
しかし、特許文献１に示される手段等では、つる装着具が眼鏡枠本体の外側部に設けられ、外部から見えて交換することができない。複雑なつる装着構造を眼鏡枠本体側に収納しても、押しボタンは外方に突出して、出っ張りとなっている。また、特許文献２に示される手段等では、レンズフレームが存在する特許に関するもので、デザイン的にレンズフレーム意匠とテンプル意匠にその種類が制約され、デザイン的にマッチングするレンズフレームとテンプルを準備するには、多くの種類を準備する必要がある。
また、縁なし眼鏡に適用することができず、テンプルを一個構成にしているので、テンプルが複雑な構造となったり、テンプルの厚さに一定以上の厚みを要するなどデザインの制約条件があった。
さらに、特許文献３では、つる本体がフロント部両サイドに設けられ、つる本体を交換することができず、押しボタンが外部に位置している等デザイン的に制約される。特許文献４では、テンプル装着具がアイワイヤーの両外側に設けられ、外部から見え特許文献３同様デザイン的に制約される。
その他、特許文献５、特許文献６、特許文献７及び特許文献８等は、眼鏡枠本体の外側部に着脱装置が設けられ、つる側に設けられておらず、いずれも外側から着脱装置が見えデザイン的に制約される。このように、先の特許文献で示される手段等では、種々の問題があった。
さらにその他、眼鏡のつる着脱を行わず、装飾部材の取替えがテンプルの外観を変更することができる眼鏡フレーム用テンプル及びこれを備えた眼鏡フレームが特許文献９で提案されているが、耳に接する部分（モダン）がつると一体で構成され、これを取替えることができず、デザイン的に制約される等の問題があった。
【０００８】
【特許文献１】実公平２−１６３２９号公報
【特許文献２】特表２００３−５３６０９３号公報
【特許文献３】特開２００７−２４９５５号公報
【特許文献４】実開昭６０−２８７３４号公報
【特許文献５】特表２００６−５１８０４７号公報
【特許文献６】実登録３０１６３９４号公報
【特許文献７】特公昭４８−１１９０９号公報
【特許文献８】実開平６−２５８２６号公報
【特許文献９】実用新案登録第３１１９７７０号公報
【発明の開示】
【発明が解決しようとする課題】
【０００９】
上述するような従来技術に鑑み、本発明では、縁なし眼鏡において、構造が簡単で、デザインを重視するつるを構成することが可能なつる着脱交換可能に取付けるための着脱装置を提供することを課題とする。
【課題を解決するための手段】
【００１０】
本発明の発明者は、課題を解決すべく鋭意検討を重ねた結果、縁なし眼鏡において、エンドピースにヒンジを介して係止部を備え、つる側へ別部品で構成される係止部を嵌入装着する着脱装置を設けることで、構造が簡単でデザインを重視するつるを構成することができることを見出し、本発明を完成するに至った。
なお、本発明の技術は縁なし眼鏡に限られることなく、通常のレンズ支持枠のついたレンズ支持付き眼鏡においても同様の着脱機構を設けることができる。
【００１１】
即ち、本発明は、レンズ部を構成するエンドピースにヒンジを介して折畳み可能に取付けられた凸板状突片の係止部を備え、つる内側に設けられる凸板状突片嵌入装着具とからなる眼鏡のつる着脱装置であって、該凸板状突片嵌入装着具は、該凸板状突片を嵌入するC溝嵌合部を形成し、該C溝一端を開口とし、他端レンズ部側を閉止し、該凸板状突片は該凸板状嵌入装着具のC溝嵌合部に嵌入する嵌入部を形成し、抜け止め防止手段を設けたことを特徴とする眼鏡のつる着脱装置を提供するものである。
このような構成からなる眼鏡のつる着脱装置は、安価で構造が簡単かつデザインを重視するつるを構成することができる。
【００１２】
抜け止め防止手段として、C溝嵌合部と並列して線ばねを収納し、該線ばねの係止鈎片を該C溝開口近傍に備えるとともに、線ばねには前記つる内側（顔側）に突出する押しボタンを備え、該係止鈎片に係合する係合鈎部を凸板状突片に形成した、抜け止め防止手段を設けたことを特徴とする眼鏡のつる着脱装置を提供するものである。
【００１３】
さらに、他の抜け止め防止手段として、凸板状嵌入装着具の上下面に凹溝を形成し、該凹溝を嵌合挟持し、かつヒンジへ当接する抜け止めを設けた、抜け止め防止手段を設けたことを特徴とする眼鏡のつる着脱装置を提供するものである。
【００１４】
また、本発明の眼鏡のつる着脱装置は、さらに、つるがエンドピースやヒンジを、顔側に配置されて外側から見えない形に形成されていることによって外側からの機械的損傷をうけることがない。
また、このような構成の眼鏡のつる着脱装置では、眼鏡のデザイン性を高めることができる。
【００１５】
さらに、エンドピースは、レンズ側面に化粧部を形成していることが好ましい。
このような構成の眼鏡のつる着脱装置では、眼鏡デザインの多様性を高めるとともに、つる形状をさらにシンプルにすることができるので、つるを安価に製作することができ、その種類を多く準備でき、顧客の選択肢を増やすことができる。
【００１６】
さらに、凸板状突片嵌入装着具が、つる内側へ当接する当接面を凸板状突片嵌入装着具の長手方向両端へ形成していることが好ましい。このような構成からなる眼鏡のつる着脱装置においては、つる形状に凹凸があっても凸板状突片嵌入装着具のつる内側へ当接する当接面を最小面積にすることができるので、つる内側へ定められた位置に安定的に当接させることができ、ろう付け等で固着するとき、熱が余分な部位へ逃げにくくなったり、高価なろう使用量を低減したり、ろうを当接面隙間に流れ込み固着を確実に行え、作業性の向上や寸法安定性の向上、原価低減等を図ることができる。
【発明の効果】
【００１７】
本発明の眼鏡のつる着脱装置は、眼鏡の意匠を高めるつるを提供できるとともにつる構造を単純化することができ、安価に製作できるので多くの種類を準備でき、多様性を求める使用者を満足させることができる一方、つる着脱装置は、つる形状に関係なく同一部品として準備することができるので、量産効果で製造原価を低減することができる等の優れた効果を奏する。
【発明を実施するための最良の形態】
【００１８】
以下、本発明の眼鏡のつる着脱装置の実施形態を図１〜１６によって説明する。
【００１９】
（第１の実施形態）
図１は、第１の実施形態を示す要部斜視図である。同図において、１００は左側のレンズを示し、右側のレンズや、眼鏡を支えるための鼻に接するパッド部分等を図示していない。なお、レンズ部１００は、レンズ直接であってもよいし、支持枠であってもよい。
２００は、眼鏡のつる（テンプル）を示し、チタン材等より形成され、つる２００背面へ凸板状突片嵌入装着具３００を当接する部位は、その肉厚を厚く形成している。
４００は、つるにつながるフロントの両端部分のエンドピースで、レンズ部１００を固定する螺着部４０１とレンズ部１００の側面に当接し、がたつきを防止する化粧部４０２を形成している。５００は、モネル材等より形成され係止部を備えた凸板状突片で、ヒンジ５０１を介してエンドピース４００と係合させ、折畳み機構を備えている。
つる２００先端に設ける耳掛片等は図示せず省略している。６００は、エンドピース４００と凸板状突片５００を廻動支持するネジである。
【００２０】
図２は、図１における矢視Ａで示す要部拡大図である。１０１は、レンズ部１００を樹脂材料等より形成されるスペーサー１０２，１０３を介しナット１０４で固定するネジである。４０２は、レンズ部１００の側面に当接する化粧部で、エンドピース４００に一体に、外から見てつる２００高さ以下に形成され、ベリ銅キャスト材等より形成されている。  凸板状突片嵌入装着具３００のつる２００内側に当接する部位は、長手方向両端３０１と３０２で、長手方向両端３０１と３０２の間には、空間３０３が設けられている。
長手方向両端３０１と３０２は、ろう付け等によりつる２００背面に固着されている。つる２００は、レンズ部１００側へ延伸し、外側（顔側と反対）から見てエンドピース４００や凸板状突片嵌入装着具３００を見えない形に形成し、レンズ部１００側面近傍まで位置させている。
凸板状突片５００のヒンジ５０１には、エンドピース４００に当接位置決めする当り面５０２が形成され、ネジ６００を支点としてつる２００が廻動し所定の位置で廻動停止する。３０４は、凸板状突片嵌入装着具３００に内臓する線ばねにろう付け等で取り付けられた押しボタンである。
【００２１】
図３は、凸板状突片５００の部品単体外観を斜視図で示している。
５０３は、ヒンジ５０１に設けられたネジ６００が貫通する軸受け穴が形成されている。また、５０４は、凸板状突片５００のヒンジ５０１他端側に設けられ、線ばね係止鈎片３０５の係合鈎部である。
【００２２】
図４は、図３を裏側から見た凸板状突片５００の部品単体外観の斜視図である。
同図において、５０５と５０６は凸板状突片５００の嵌入部で所定の肉厚を有し、ヒンジ５０１側、レンズ部１００側で繋げられて、半円形状のフランジ５０７が形成されている。
【００２３】
図５は、図４のＢＢで示す断面図である。
Ｈ１の寸法は、ヒンジ５０１の肉厚と同じ寸法で形成されている。
【００２４】
図６は、凸板状突片嵌入装着具３００の部品単体外観を斜視図で示している。３０６は、凸板状突片５００を嵌入するC溝嵌合部で、凸板状突片５００の嵌入部５０５と５０６を嵌入する溝３０７と３０８が形成され、レンズ部１００側の位置でＲ形状に繋がった溝３０９が形成され、凸板状突片５００の半円形状のフランジ５０７が嵌入装着される。
溝３０７、３０８の間は、つる２００と反対側に開口隙間Ｈ２が形成され、凸板状突片５００のＨ１を形成した凸部５０８と嵌合する寸法に形成されている。
３１０は、Ｃ溝嵌合部３０６下部に設けられた線ばねで、線ばね３１０にＣ溝嵌合部３０６入口近傍において押しボタン３０４がろう付け等で固着されている。また、押しボタン３０４を逃げる切り欠き３１１が凸板状突片嵌入装着具３００に設けられている。
【００２５】
図７は、図６を裏側から見た（つる２００へ当接する面側から見た）凸板状突片嵌入装着具３００の部品単体外観の斜視図である。
同図において、３１０は、凸板状突片嵌入装着具３００下部に設けた溝３１２に収納した線ばねで、チタン材等から形成されている。溝３１２の一端は、Ｃ溝嵌合部３０６入口側で開放して形成され、他端は、閉止壁３１３が形成されている。
閉止壁３１３に線ばね３１０の一端が、所定の傾きを設けて、ろう付け等で突き合わせ固着されている。線ばね３１０の他端は、Ｌ字状に曲げられ、係止鈎片３０５が形成され、係止鈎片３０５は、Ｃ溝嵌合部３０６入口側を塞ぐ位置に配置されている。
【００２６】
図８は、図７のＣＣで示す断面図である。
同図において、線ばね３１０の一端は、閉止壁３１３の二点鎖線で示すつる２００側に近い位置でろう付け等で固着され、係止鈎片３０５の位置は、Ｃ溝嵌合部３０６入口側を塞ぐ位置に配置されているので、線ばね３１０は、所定の傾きを有する。
【００２７】
図９は、図６のＤＤで示す断面図である。
同図において、線ばね３１０を収納する溝３１２は、Ｃ溝嵌合部３０６の下部に位置させて形成されている。
【００２８】
図１０は、述べた凸板状突片５００の嵌入部５０５，５０６をＣ溝嵌合部３０６に嵌入した状態を示す断面図である。
同図において、一旦凸板状突片５００の嵌入部５０５，５０６が、Ｃ溝嵌合部３０６に嵌入した後は、係止鈎片３０５に不要な力が加えられていないことを示している。すなわち係合鈎部５０４と該係止鈎片３０５の位置関係は、所定の位置を決めれば抜けようとする力が働かない限り、該係止鈎片３０５に力が加わらない。
係止鈎片３０５は、線ばね３１０を曲げて形成しているので、塑性変形した曲げを元に戻す力は相当の力を有し、単純で丈夫な該係止鈎片３０５を提供することができる。
係止鈎片３０５を係合鈎部５０４から外すのは、押しボタン３０４を(1)矢印方向に押し、係止鈎片３０５を点線で示す位置に押下させ、次に(2)矢印方向に該凸板状突片５００を移動すれば良い。この動作の時に線ばね３１０に力が加わる。
【００２９】
図１１は、述べた凸板状突片５００をＣ溝嵌合部３０６に嵌入する時の説明図である。
まず凸板状突片５００のレンズ部側半円形状のフランジ５０７で係止鈎片３０５矢印(1)側に押しながら矢印(2)側へ移動し、係合鈎部５０４が係止鈎片３０５を通過させるまで移動させる。この動作の時、線ばね３１０に力が加わる。
【００３０】
（第２の実施形態）
図１２は、第２の実施形態を示す図を示している。
同図において、第１の実施形態と異なる点は、エンドピース４００に化粧部４０２を大きく形成し、つる２００のレンズ部側を小さく形成している点である。
凸板状突片５００をＣ溝嵌合部３０６に嵌入する場合、ヒンジ５０１を廻動させ、化粧部４０２を逃げる形で図１２矢印に示す方向から嵌入装着する構成とすることによってデザインの多様性を更に高めることができる。
【００３１】
（第３の実施形態）
図１３は、第３の実施形態を示す図を示している。
同図において、第１と第２の実施形態と異なる点は、凸板状突片嵌入装着具３００に線ばね３１０と凸板状突片５００に係合鈎部５０４が備えられていない点である。凸板状突片嵌入装着具３００の上下に設けられた凹溝３２０へ別ピースの抜け止め７００が嵌合装着されている。
【００３２】
図１４は、図６で示した線ばね３１０が無い状態の凸板状突片嵌入装着具３００の部品単体外観を斜視図で示している。
同図において、３２０は凸板状突片嵌入装着具３００の上下に設けられた凹溝で、所定の幅と深さで長手方向に設けられている。Ｃ溝嵌合部３０６等は、第１や第２の実施形態と同じ機能を有する。線ばね３１０を設けない分、凸板状突片嵌入装着具３００をコンパクトに製作することができる。
【００３３】
図１５と図１６は、抜け止め７００を示す説明図と斜視図である。
同図において、樹脂材料等より形成された抜け止め７００は、凸板状突片嵌入装着具３００の上下に設けられた凹溝３２０に嵌合する凸状のリブ７０１が、コの字状抜け防止７００の内側に設けられている。
同図で示す凸状のリブ７０１は、円弧状で示しているが矩形でもよく、凸板状突片嵌入装着具３００の上下に設けられた凹溝３２０の長さとほぼ等しく形成され、両端は斜め状のテーパー７０２が形成されている。テーパー７０２の角度は、図１５に示す７０３に設けた滑り止め用のローレット部を手で押し、抜け止め７００を滑らしたとき容易に外れず、クリック感がある形で形成され、図１５の側面図に示す矢印方向へ広げる力との関係で決められる。
また、凸状のリブ７０１と凹溝３２０の位置は、抜け止め７００の両端７０４いずれか片方が、図１３で示すヒンジ５０１の当り面５０７で当接する位置に決められている。
【００３４】
凸板状突片５００をＣ溝嵌合部３０６に嵌入する場合、ヒンジ５０１を廻動させ、化粧部４０２を逃げる形で図１３矢印(1)で示す方向から嵌入装着した後、矢印(2)の方向から抜け止め７００をスライドさせ押し込み、凸状のリブ７０１と凹溝３２０を嵌合させるだけでよく、操作性が容易である。
上記実施態様の眼鏡のつる着脱装置は、眼鏡の意匠を高めるばかりでなく、つる構造を単純化することができ、安価に製作できるので多くの種類をそろえることができるので、多様性を求める顧客ニーズにマッチングさせることができる。また、つる着脱装置の作成については、つる形状に関係なく同一部品として準備することができるので、量産効果で製造原価を低減することができる等の利点のあることが確認できた。
【図面の簡単な説明】
【００３５】
【図１】第１実施形態の要部斜視図。
【図２】第１実施形態の図１における矢視Ａで示す要部拡大図。
【図３】第１実施形態の凸板状突片部品単体外観斜視図。
【図４】第１実施形態の図３を裏側から見た凸板状突片の部品単体外観斜視図。
【図５】第１実施形態の図３のＢＢで示す断面図。
【図６】第１実施形態の凸板状突片嵌入装着具の部品単体外観斜視図。
【図７】第１実施形態の図６の裏面視で凸板状突片嵌入装着具の部品単体外観斜視図。
【図８】第１実施形態の図７のＣＣで示す断面図。
【図９】第１実施形態の図６のＤＤで示す断面図。
【図１０】第１実施形態の凸板状突片をC溝嵌合部に嵌入した状態を示す断面図。
【図１１】第１実施形態の凸板状突片をC溝嵌合部に嵌入する時の説明図。
【図１２】第２実施形態を示す説明図。
【図１３】第３実施形態を示す説明図。
【図１４】第３実施形態の凸板状突片嵌入装着具の部品単体外観斜視図。
【図１５】第３実施形態の抜け止めを示す概略図。
【図１６】第３実施形態の抜け止めを示す外観斜視図。
【符号の説明】
【００３６】
１００  レンズ部
１０１  ネジ
１０２  スペーサー
１０３  スペーサー
１０４  ナット
２００  つる（テンプル）
３００  凸板状突片嵌入装着具
３０１  長手方向両端
３０２  長手方向両端
３０３  空間
３０４  押しボタン
３０５  係止鈎片
３０６  C溝嵌合部
３０７  溝
３０８  溝
３０９  溝
３１０  線ばね
３１１  切り欠き
３１２  溝
３１３  閉止壁
３２０  凹溝
４００  エンドピース
４０１  螺着部
４０２  化粧部
５００  凸板状突片
５０１  ヒンジ機構
５０２  当り面
５０３  軸受け穴
５０４  係合鈎部
５０５  嵌入部
５０６  嵌入部
５０７  当り面
６００  ネジ
７００  抜け止め
７０１  リブ
７０２  テーパー
７０３  ローレット部
７０４  両端
【図１】
2009104115.tif 000003
【図２】
2009104115.tif 000004
【図３】
2009104115.tif 000005
【図４】
2009104115.tif 000006
【図５】
2009104115.tif 000007
【図６】
2009104115.tif 000008
【図７】
2009104115.tif 000009
【図８】
2009104115.tif 000010
【図９】
2009104115.tif 000011
【図１０】
2009104115.tif 000012
【図１１】
2009104115.tif 000013
【図１２】
2009104115.tif 000014
【図１３】
2009104115.tif 000015
【図１４】
2009104115.tif 000016
【図１５】
2009104115.tif 000017
【図１６】
2009104115.tif 000018